(57)【要約】【課題】数多く積層できるようにすることで輸送費用を安くすることができるカセットブロックを提供する。【解決手段】カセットブロック１は、複数の電気部品が装着される装着面８と、該装着面８から凹に設けられ、前記複数の電気部品の端子部がそれぞれ収容される複数の端子部収容室１２と、装着面８から突出し、かつ、前記電気部品が装着面８に近付けられるにしたがって前記端子部が端子部収容室１２内に真っ直ぐに収容されるように前記電気部品を装着面８に案内する複数のガイド部３，４，５，６，７と、を有している。また、これら複数のガイド部３，４，５，６，７のうち装着面８から最も突出した少なくとも３つのガイド部３，４，５の頂点３ａ，４ａ，５ａを通る仮想平面は装着面８と平行である。【選択図】図３
2010074953.tif 000002
【特許請求の範囲】
【請求項１】
複数の電気部品が装着される装着面と、該装着面から凹に設けられ、前記複数の電気部品の端子部がそれぞれ収容される複数の端子部収容室と、前記装着面から突出し、かつ、前記電気部品が前記装着面に近付けられるにしたがって前記端子部が前記端子部収容室内に真っ直ぐに収容されるように前記電気部品を前記装着面に案内する複数のガイド部と、を有するカセットブロックにおいて、
前記複数のガイド部のうち前記装着面から最も突出した少なくとも３つのガイド部の頂点を通る仮想平面が前記装着面と平行になるように、当該ガイド部が設けられていることを特徴とするカセットブロック。
【請求項２】
前記装着面の裏側に前記端子部収容室を構成する複数の壁が設けられており、これら複数の壁のうち前記頂点の裏側に位置する壁の底点を通る仮想平面が前記装着面と平行になるように、当該壁が設けられていることを特徴とする請求項１に記載のカセットブロック。
【発明の詳細な説明】
【技術分野】
【０００１】
本発明は、電気接続箱等に用いられる、リレーやヒューズなどの複数の電気部品が装着されるカセットブロックに関するものである。
【背景技術】
【０００２】
自動車には多種多様な電子機器が搭載されている。これら多種多様な電子機器に電力を供給するため、前記自動車には、電源と前記電子機器との間の適宜箇所に電気接続箱が配置されている。また、この電気接続箱は、一般的に、リレーやヒューズなどの複数の電気部品と、これら電気部品が装着されたカセットブロックと、このカセットブロックを取り付けるケースと、で構成されている（特許文献１を参照。）。
【０００３】
なお、電気接続箱は、ジャンクションブロック、ヒューズブロック、リレーボックス、とも呼ばれる。本明細書では、前述したジャンクションブロック、ヒューズブロック、リレーボックスを、総称して以下電気接続箱と呼ぶ。
【０００４】
図５は、上記電気接続箱に用いられる従来のカセットブロックを示す斜視図である。図６は図５に示された従来のカセットブロックが積層された状態を示す斜視図である。
【０００５】
図５及び図６に示すカセットブロック１０１は、合成樹脂で構成されたものであり、外形がブロック状の本体部１０２と、複数のガイド部１０３，１０４，１０５，１０６，１０７と、を有している。
【０００６】
上記本体部１０２は、複数の電気部品が装着される平らな装着面１０８と、装着面１０８から矢印Ｙに沿って凹に設けられ、前記複数の電気部品の端子部がそれぞれ収容される複数の端子部収容室１１２と、装着面１０８の外縁から矢印Ｙに沿って立設した複数の周壁１０９と、装着面１０８及び周壁１０９により形成される空間を複数の空間、即ち前記端子部収容室１１２、に区画した複数の隔壁と、を有している。
【０００７】
上記複数のガイド部１０３，１０４，１０５，１０６，１０７は、前記装着面１０８から矢印Ｙに沿って突出し、かつ、前記電気部品が前記装着面１０８に近付けられるにしたがって前記端子部が前記端子部収容室１１２内に矢印Ｙに沿って真っ直ぐに収容されるように前記電気部品を前記装着面１０８に案内するものである。また、これらガイド部１０３，１０４，１０５，１０６，１０７は、複数の周壁１０９が設けられた側と反対側に突出しており、その装着面１０８からの突出量（図５中にＳ１，Ｓ２，Ｓ３で示す。）は互いに異なっている。即ち、装着面１０８から最も突出したガイド部１０３の頂点１０３ａと、他のガイド部１０４，１０５の頂点１０４ａ，１０５ａとには高低差が生じている。
【０００８】
また、図５及び図６中の矢印Ｙは、カセットブロック１０１の電気接続箱のケースへの取付方向を示している。カセットブロック１０１は、矢印Ｙに沿って前記ケース内に収容され、そして、周壁１０９の外表面に設けられた係止部１１１が前記ケースの内表面に設けられた係止受け部に係止することで、前記ケースに取り付けられる。また、カセットブロック１０１は、図６に示すように、矢印Ｙ方向に積層された状態で輸送される。
【特許文献１】特開２００７−３１２４９３号公報
【発明の開示】
【発明が解決しようとする課題】
【０００９】
しかしながら、前述したカセットブロック１０１は、複数のガイド部１０３，１０４，１０５，１０６，１０７の装着面１０８からの突出量が互いに異なっているので、複数のカセットブロック１０１が積層された際に、図６に示すように、積み上げられたカセットブロック１０１が傾いてしまい、数多く積層することができず輸送費用が高くついてしまうという問題があった。
【００１０】
したがって、本発明は、数多く積層できるようにすることで輸送費用を安くすることができるカセットブロックを提供することを目的とする。
【課題を解決するための手段】
【００１１】
上記目的を達成するために、請求項１に記載された発明は、複数の電気部品が装着される装着面と、該装着面から凹に設けられ、前記複数の電気部品の端子部がそれぞれ収容される複数の端子部収容室と、前記装着面から突出し、かつ、前記電気部品が前記装着面に近付けられるにしたがって前記端子部が前記端子部収容室内に真っ直ぐに収容されるように前記電気部品を前記装着面に案内する複数のガイド部と、を有するカセットブロックにおいて、前記複数のガイド部のうち前記装着面から最も突出した少なくとも３つのガイド部の頂点を通る仮想平面が前記装着面と平行になるように、当該ガイド部が設けられていることを特徴とするカセットブロックである。
【００１２】
請求項２に記載された発明は、請求項１に記載された発明において、前記装着面の裏側に前記端子部収容室を構成する複数の壁が設けられており、これら複数の壁のうち前記頂点の裏側に位置する壁の底点を通る仮想平面が前記装着面と平行になるように、当該壁が設けられていることを特徴とするものである。
【発明の効果】
【００１３】
請求項１に記載された発明によれば、前記複数のガイド部のうち前記装着面から最も突出した少なくとも３つのガイド部の頂点を通る仮想平面が前記装着面と平行になるように、当該ガイド部が設けられているので、複数のカセットブロックが積層された状態で、積み上げられたカセットブロックに生じる傾きを小さくすることができ、そのために、当該カセットブロックを数多く積層することができるようになる。よって、輸送費用を安くすることができるカセットブロックを提供することができる。さらに、カセットブロックを数多く積層することができるようになることで、当該カセットブロックの輸送回数を減らすことができるので、二酸化炭素の排出量を削減することができる。
【００１４】
請求項２に記載された発明によれば、前記装着面の裏側に前記端子部収容室を構成する複数の壁が設けられており、これら複数の壁のうち前記頂点の裏側に位置する壁の底点を通る仮想平面が前記装着面と平行になるように、当該壁が設けられているので、複数のカセットブロックが積層された状態で、積み上げられたカセットブロックに生じる傾きをさらに小さくすることができ、そのために、当該カセットブロックをさらに数多く積層することができるようになる。よって、輸送費用をさらに安くすることができるカセットブロックを提供することができる。
【発明を実施するための最良の形態】
【００１５】
以下、本発明の一実施形態に係るカセットブロックを、図１ないし図３に基づいて説明する。図１は本発明の一実施形態に係るカセットブロックを示す斜視図である。図２は図１に示されたカセットブロックを装着面の裏側から見た斜視図である。図３は図１に示されたカセットブロックが積層された状態を示す斜視図である。
【００１６】
本発明のカセットブロックは、例えば、自動車のエンジンルームなどに取り付けられて前記自動車に搭載された多種多様な電子機器に電力を供給する電気接続箱に用いられる。この電気接続箱は、リレーやヒューズなどの複数の電気部品と、これら電気部品が装着された本カセットブロックと、本カセットブロックを取り付けるケースと、で構成されている。また、本明細書では、ジャンクションブロック、ヒューズブロック、リレーボックスを、総称して以下電気接続箱と呼ぶ。
【００１７】
図１ないし図３に示す上記カセットブロック１は、合成樹脂で構成されたものであり、外形がブロック状の本体部２と、複数のガイド部３，４，５，６，７と、を一体に有している。
【００１８】
上記本体部２は、複数の電気部品が装着される平らな装着面８と、装着面８から矢印Ｙに沿って凹に設けられ、前記複数の電気部品の端子部がそれぞれ収容される複数の端子部収容室１２と、装着面８の外縁から矢印Ｙに沿って立設した複数の周壁９（請求項中の壁に相当する。）と、装着面８及び周壁９により形成される空間を複数の空間、即ち前記端子部収容室１２、に区画した複数の隔壁１０（請求項中の壁に相当する。図２を参照。）と、を有している。即ち、端子部収容室１２は、装着面８と周壁９または隔壁１０により形成された空間であり、矢印Ｙ方向の両端部が開口している。また、前記矢印Ｙは、カセットブロック１の電気接続箱のケースへの取付方向を示している。
【００１９】
また、上記本体部２には、前記電気部品の端子部同士を予め定められたパターンにしたがって電気的に接続するバスバが組み付けられる。そして、前記電気部品が装着面８に装着されて端子部が端子部収容室１２内に位置付けられることで、この端子部と前記バスバとが電気的に接続される。
【００２０】
上記複数のガイド部３，４，５，６，７は、前記電気部品が前記装着面８に近付けられるにしたがって前記端子部が前記端子部収容室１２内に矢印Ｙに沿って真っ直ぐに収容されるように前記電気部品を前記装着面８に案内するものである。これらガイド部３，４，５，６，７は、前記装着面８から周壁９が設けられた側と反対側に突出しているとともに矢印Ｙに沿って突出している。
【００２１】
また、上記複数のガイド部３，４，５，６，７の装着面８からの突出量、即ち頂点の高さ、は、一定ではないが、これら複数のガイド部３，４，５，６，７のうち装着面８から最も突出した４つのガイド部３，４，５（図中、ガイド部５は２つ設けられている。）の突出量ｔ、即ち４つのガイド部３，４，５の頂点３ａ，４ａ，５ａの高さ、は全て等しい。また、本発明において、前記「ガイド部の頂点」とは、ガイド部のうち矢印Ｙに沿って装着面８から最も離れた部分を言う。また、前述した４つのガイド部３，４，５の頂点３ａ，４ａ，５ａを通る仮想平面は、装着面８と平行である。
【００２２】
また、図２中の一点鎖線で囲んだ部分１３，１４，１５は、前述した「装着面８から最も突出した４つのガイド部３，４，５の頂点３ａ，４ａ，５ａ」の裏側に位置する部分である。該部分１３，１４，１５に位置する周壁９及び隔壁１０の底点１３ａ，１４ａ，１５ａを通る仮想平面は、装着面８と平行である。また、前記「周壁及び隔壁の底点」とは、周壁９及び隔壁１０のうち矢印Ｙに沿って装着面８から最も離れた部分を言う。
【００２３】
前述したカセットブロック１は、矢印Ｙに沿って前記ケース内に収容され、そして、周壁９の外表面に設けられた係止部１１が前記ケースの内表面に設けられた係止受け部に係止することで、前記ケースに取り付けられる。
【００２４】
また、前述したカセットブロック１は、図３に示すように、矢印Ｙ方向に積層された状態で輸送される。この状態において、下側のカセットブロック１の頂点３ａ，４ａ，５ａが、上側、即ち積み上げられた側、のカセットブロック１の底点１３ａ，１４ａ，１５ａに接している。
【００２５】
本発明では、このように、カセットブロック１に高低差のない３点以上の頂点３ａ，４ａ，５ａを設け、さらに、これら頂点３ａ，４ａ，５ａの裏側に位置する部分１３，１４，１５の底点１３ａ，１４ａ，１５ａの高低差をなくしているので、同一形状のカセットブロック１を複数個積層する際に、積み上げられたカセットブロック１に生じる傾きを小さくすることができ、そのために、当該カセットブロック１を数多く積層することができるようになる。よって、これらカセットブロック１の輸送費用を安くすることができる。さらに、カセットブロック１を数多く積層することができるようになることで、当該カセットブロック１の輸送回数を減らすことができるので、二酸化炭素の排出量を削減することができる。
【００２６】
また、本発明において、複数のカセットブロック１を安定した状態で積層することができる形状は、図１及び図３に示すように、装着面８から最も突出した少なくとも３つのガイド部３，４，５の頂点３ａ，４ａ，５ａが、一直線上に並ばない位置に位置付けられた形状であり、さらに、頂点３ａ，４ａ，５ａ間の間隔が大きいほど安定度を高くすることができる。
【００２７】
また、本発明では、従来からもともと設けられていた高さの低いガイド部を、最も突出したガイド部の高さに合わせて延長したことから、最小限の設計変更で、前述したカセットブロック１の輸送効率の大幅な向上を実現することができる。
【００２８】
次に、本発明のカセットブロックの変形例を、図４に基づいて説明する。図４は本発明のカセットブロックの変形例を示す平面図である。
【００２９】
図４に示すカセットブロック１’は、電気部品が装着される装着面８ａ，８ｂ，８ｃ，８ｄが階段状に設けられている。このカセットブロック１’は、階段状の装着面８ａ，８ｂ，８ｃ，８ｄを有する本体部２’と、装着面８ａ，８ｂ，８ｃ，８ｄからそれぞれ矢印Ｙに沿って突出した複数のガイド部３’，４’，５’，６’と、を有している。
【００３０】
上記本体部２’は、前述した階段状の装着面８ａ，８ｂ，８ｃ，８ｄと、図示しない端子部収容室と、装着面８ａ，８ｂ，８ｃ，８ｄの外縁から矢印Ｙに沿って立設した複数の周壁９’と、装着面８ａ，８ｂ，８ｃ，８ｄ及び周壁９’により形成される空間を複数の空間、即ち前記端子部収容室、に区画した複数の隔壁１０’と、を有している。
【００３１】
また、上記複数のガイド部３’，４’，５’，６’の装着面８ａ，８ｂ，８ｃ，８ｄからの突出量、即ち頂点の高さ、は、一定ではないが、これら複数のガイド部３’，４’，５’，６’のうち、最も低い位置に位置する装着面８ｄから最も突出した３つのガイド部３’，４’，５’の突出量、即ち３つのガイド部３’，４’，５’の頂点３ｂ，４ｂ，５ｂの高さ、は全て等しい。また、前述した３つのガイド部３’，４’，５’の頂点３ｂ，４ｂ，５ｂを通る仮想平面Ｑは、装着面８ａ，８ｂ，８ｃ，８ｄと平行である。
【００３２】
また、頂点３ｂ，４ｂ，５ｂの裏側に位置する周壁９’及び隔壁１０’の底点１３ｂ，１４ｂ，１５ｂを通る仮想平面Ｒは、装着面８ａ，８ｂ，８ｃ，８ｄと平行である。
【００３３】
前述したカセットブロック１’は、矢印Ｙ方向に積層された状態で輸送される。この状態において、下側のカセットブロック１’の頂点３ｂ，４ｂ，５ｂが、上側、即ち積み上げられた側、のカセットブロック１’の底点１３ｂ，１４ｂ，１５ｂに接している。
【００３４】
このように、本発明では、装着面８ａ，８ｂ，８ｃ，８ｄ同士に高低差がある場合でも、複数のカセットブロック１’を矢印Ｙ方向に積層した際に、上または下に位置するカセットブロック１’と当接する少なくとも３つの頂点３ｂ，４ｂ，５ｂ同士及び少なくとも３つの底点１３ｂ，１４ｂ，１５ｂ同士に高低差がない形状であれば良い。
【００３５】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３６】
【図１】本発明の一実施形態に係るカセットブロックを示す斜視図である。
【図２】図１に示されたカセットブロックを装着面の裏側から見た斜視図である。
【図３】図１に示されたカセットブロックが積層された状態を示す斜視図である。
【図４】本発明のカセットブロックの変形例を示す平面図である。
【図５】従来のカセットブロックを示す斜視図である。
【図６】図５に示された従来のカセットブロックが積層された状態を示す斜視図である。
【符号の説明】
【００３７】
１  カセットブロック
３，４，５，６，７  ガイド部
３ａ，４ａ，５ａ  頂点
８  装着面
９  周壁（壁）
１０  隔壁（壁）
１２  端子部収容室
１３ａ，１４ａ，１５ａ  底点
【図１】
2010074953.tif 000003
【図２】
2010074953.tif 000004
【図３】
2010074953.tif 000005
【図４】
2010074953.tif 000006
【図５】
2010074953.tif 000007
【図６】
2010074953.tif 000008